(57)【要約】【課題】収納物を簡便に出し入れできる圧縮収納具を提供する。【解決手段】圧縮収納具は第１の袋体１と、第２の袋体２とを連結したものであり、これらの第１、第２の袋体１、２の間に収納口３が配置されている。収納口３の両端には収納口縁部３ａが設けられており、これらの収納口縁部３ａの下端と、外側シート部及び内側シート部とを貼り合わせた接合縁部１ｃ、２ｃの上端とが連結している。収納口３を完全密封した後に、掃除機の吸引ノズルを排気弁５に接続し、第１、第２の袋体１、２内の空気及び収納物内の空気は外部に排気する。内側シート部と外側シート部２ａとの間に収まった収納物は圧縮され、容積が小さくなる。【選択図】図５
2019026289.tif 000002
【特許請求の範囲】
【請求項１】
連結した第１の袋体及び第２の袋体を有し、これらの袋体に収納物を収納して密閉し、排気手段から前記袋体内の空気を排気して前記収納物を圧縮する圧縮収納具であって、
前記第１、第２の袋体の境界部に、前記収納物を出し入れする収納口が配置されていることを特徴とする圧縮収納具。
【請求項２】
前記第１、第２の袋体は、合成樹脂シートから構成されていることを特徴とする請求項１に記載の圧縮収納具。
【請求項３】
前記第１、第２の袋体は、同一の大きさであることを特徴とする請求項１又は２に記載の圧縮収納具。
【請求項４】
前記第１、第２の袋体は、それぞれ外側に配置した外側シート部と内側に配置した内側シート部とを、重ね合わせて貼り合わされたものであり、
対向する前記第１、第２の袋体の前記内側シート部の上端同士は、連続しており、
前記第１、第２の袋体の前記外側シート部の上縁に、前記収納口が形成されていることを特徴とする請求項１〜３の何れか１つの請求項に記載の圧縮収納具。
【請求項５】
前記収納口の両端には、収納口縁部を有し、
前記第１、第２の袋体には、前記外側シート部と前記内側シート部とを貼り合わせた接合縁部を有し、
前記収納口縁部の下端と、前記第１、第２の袋体の前記接合縁部の上端とが連結していることを特徴とする請求項４に記載の圧縮収納具。
【請求項６】
前記収納口の内面側に密閉用ファスナが取り付けられており、
該密閉用ファスナは対向したレール状の１列又は複数列の凸条部及び凹条部を有し、
前記凸条部及び前記凹条部を嵌合することで、前記収納口を完全密閉することを特徴とする請求項１〜５の何れか１つの請求項に記載の圧縮収納具。
【発明の詳細な説明】
【技術分野】
【０００１】
本発明は、袋体内の空気を排出して布団・衣類等を圧縮した状態で収納する圧縮収納具に関するものである。
【背景技術】
【０００２】
布団・衣類等を収納するに際して、軟質の合成樹脂製シート製の袋体内に、布団・衣類等を収納して収納口を閉じて、袋体内の空気を排出することにより、布団・衣類等を圧縮した状態で収納するようにした圧縮収納袋が広く使用されている。
【０００３】
特許文献１の圧縮収納袋には、袋体の収納口にファスナ構造による密閉手段が設けられており、収納口から収納する布団・衣類を袋体内に収納してから、密閉手段により袋体内を密封する。その後に、掃除機の吸引ノズルを袋体の排気弁機構に接続して、袋体内部の空気を排出し袋体の容積を小さくする。
【０００４】
また、特許文献２には長方形の袋体の長辺側に収納口を設けた圧縮収納袋が開示されている。
【先行技術文献】
【特許文献】
【０００５】
【特許文献１】特開２０１３−１６６５９６号公報
【特許文献２】特開２００９−２３７００号公報
【発明の概要】
【発明が解決しようとする課題】
【０００６】
特許文献１に代表されるこの種の圧縮収納袋では、長方形の袋体の短辺側に設けた収納口から布団等の収納物を収納するには、例えば袋体内の奥まで布団を押し込むことに手間を要するという問題がある。この場合、袋体内に奥行きがあるため手が届き難く、布団が皺になったり、偏在してしまうこともある。
【０００７】
更に、複数個の衣類等を袋体に、例えば２段に分けて収納する場合には、奥側の衣類を入れる際に衣類が崩れたりして収納し難く、また奥の衣類のみを取り出したい場合には、手前側の衣類を全部取り出す必要がある。
【０００８】
また、特許文献２に代表される圧縮収納袋の場合には、密閉する個所が長いため、密閉作業に手間が掛かるという問題がある。更には、圧縮後の圧縮収納袋を二つ折りにすると、二つ折りにした収納口から空気が浸入する虞れがあるので、二つ折りにしてコンパクト化することができない。
【０００９】
本発明の目的は、上述の課題を解消し、収納物を簡便に出し入れできる圧縮収納具を提供することにある。
【課題を解決するための手段】
【００１０】
上記目的を達成するための本発明に係る圧縮収納具は、連結した第１の袋体及び第２の袋体を有し、これらの袋体に収納物を収納して密閉し、排気手段から前記袋体内の空気を排気して前記収納物を圧縮する圧縮収納具であって、前記第１、第２の袋体の境界部に、前記収納物を出し入れする収納口が配置されていることを特徴とする。
【発明の効果】
【００１１】
本発明に係る圧縮収納具によれば、収納口を第１、第２の袋体の中間に設けているので、大型の収納物であっても収納し易くなる。また、衣類等の収納物を第１、第２の袋体に別個に出し入れできるので操作性が良い。
【図面の簡単な説明】
【００１２】
【図１】圧縮収納具の斜視図である。
【図２】断面図である。
【図３】密封用ファスナの断面図である。
【図４】密封用ファスナを閉止した状態の断面図である。
【図５】第１、第２の袋体を平面状に拡げた状態の斜視図である。
【図６】収納物の一方側を第２の袋体内に挿入した状態の断面図である。
【図７】収納物を収納し、収納口を密閉した状態の斜視図である。
【図８】排気後に、第１、第２の袋体を重ね合わせた状態の側面図である。
【発明を実施するための形態】
【００１３】
本発明を図示の実施例に基づいて詳細に説明する。
図１は実施例の圧縮収納具の斜視図、図２は断面図である。圧縮収納具は第１の袋体１と、第２の袋体２とを連結したものであり、これらの同一の大きさである第１、第２の袋体１、２の間に収納口３が配置されている。
【００１４】
第１、第２の袋体１、２は軟質の合成樹脂シートから構成され、第１、第２の袋体１、２は透明、又は有色透明な合成樹脂シートを用いることができる。
【００１５】
圧縮収納具の大きさは、収納口３の密閉用ファスナ４と平行である横幅が１００ｃｍ程度、収納口３の密閉用ファスナ４と垂直方向である縦幅５０ｃｍ程度である。なお、圧縮収納具の大きさは、収納する収納物の大きさに応じて適宜のサイズのものを採用することができる。
【００１６】
第１、第２の袋体１、２は、外側に配置した外側シート部１ａ、２ａ及び内側に配置した内側シート部１ｂ、２ｂとの２枚の合成樹脂シートをそれぞれ重ね合わせて貼り合わせた構造とされている。外側シート部１ａ、２ａの側辺部及び下辺部と、内側シート部１ｂ、２ｂの側辺部及び下辺部とは、熱溶着等で貼り合わせて接合縁部１ｃ、２ｃが形成されている。
【００１７】
なお、外側シート部１ａ、２ａの縦幅は、内側シート部１ｂ、２ｂの縦幅より若干長いので、外側シート部１ａ、２ａの上縁部１ｄ、２ｄには、接合縁部１ｃ、２ｃが形成されていない。
【００１８】
第１、第２の袋体１、２の境界部、つまり外側シート部１ａ、２ａの上縁部１ｄ、２ｄ同士の間に収納口３が形成されており、この収納口３の内面側に密閉用ファスナ４が取り付けられている。
【００１９】
収納口３の両端には、外側シート部１ａの上縁部１ｄの両端と外側シート部２ａの上縁部２ｄの両端とを貼り合わせた収納口縁部３ａが設けられており、これらの収納口縁部３ａの下端と、接合縁部１ｃ、２ｃの上端とが連結している。そして、この連結部は側面から見ると逆Ｙ字形状で連結されている。
【００２０】
また、両端に収納口縁部３ａを有する収納口３を別体で作成し、同じ縦幅の外側シート部１ａ、２ａと内側シート部１ｂ、２ｂとを貼り合わせた第１、第２の袋体１、２を用意し、収納口縁部３ａと接合縁部１ｃ、２ｃとを上述のように逆Ｙ字状で連結して製造することもできる。
【００２１】
対向する内側シート部１ｂ、２ｂの上端同士は連続されており、後述する収納物を本実施例の圧縮収納具に収納した際には、内側シート部１ｂ、２ｂは平面状となる。
【００２２】
密閉用ファスナ４は帯状の軟質合成樹脂材から成り、図３に示すように凸条部４ａと凹条部４ｂがレール状に２列に２組設けられている。なお、凸条部４ａと凹条部４ｂは２組以上を配置することが好ましいが、１組であっても支障はない。
【００２３】
上縁部１ｄの内側には、密閉用ファスナ４の凸条部４ａと凹条部４ｂとが設けられ、これらに対向して上縁部２ｄの内側には、密閉用ファスナ４の凹条部４ｂと凸条部４ａとが設けられている。
【００２４】
また、上縁部１ｄの凸条部４ａ及び凹条部４ｂと、上縁部２ｄの凸条部４ａ及び凹条部４ｂには、異なる色から成る有色透明の材料を採用することもできる。このようにすることで、図４に示すように、密閉用ファスナ４の凸条部４ａと凹条部４ｂ同士を嵌合することにより、閉止した際に上縁部１ｄの凸条部４ａの色が透過して上縁部２ｄの外側から目視することができる。
【００２５】
凸条部４ａと凹条部４ｂとが嵌合していない場合は、上縁部１ｄの凸条部４ａの色を上縁部２ｄの外側から確認することができないので、密封状態でないことを容易に把握することができる。
【００２６】
外側シート部１ａの略中央には、硬質の合成樹脂から成る公知の排気手段である排気弁５が取り付けられており、排気弁５内には図示しない合成ゴム等からなる逆止弁を有している。そして、空気が外部から排気弁５を介して内部へ逆流することはない構造とされている。
【００２７】
この排気弁５に掃除機の吸引ノズルを接合して、掃除機を起動することで圧縮収納具内の空気を外部に排出することが可能である。また、外側シート部２ａにも排気弁５を配置して、複数の排気弁５を設けるようにしてもよい。
【００２８】
更には、排気弁５に代えて、第１、第２の袋体１、２の接合縁部１ｃ、２ｃの下辺部側に１又は複数の逆止弁から成る排気手段を設けてもよい。公知の平面状の逆止弁を設けることで、上述のように掃除機を使用せずに手による押圧で圧縮収納具内の空気を外部に排出することが可能である。
【００２９】
圧縮収納具内に収納物として、例えば大型の収納物である布団Ｆを収納する際には、図５に示すように、先ず、第１、第２の袋体１、２の内側シート部１ｂ、２ｂを平面状にして、収納口３を開口状態にする。
【００３０】
続いて、図６の側面図に示すように、布団Ｆの一方側を開口状態の収納口３から第２の袋体２内に挿入する。挿入の際は、布団Ｆによって内側シート部２ｂと外側シート部２ａとを離間させながら、布団Ｆの一方側を第２の袋体２の先端に押し込むようにして、第２の袋体２内に収納させる。
【００３１】
同様に、布団Ｆの他方側を第１の袋体１内に挿入して、布団Ｆ全体を圧縮収納具内に収納する。そして、密閉用ファスナ４の凸条部４ａと凹条部４ｂとを嵌合させて、図７の斜視図に示すように収納口３を完全密封する。
【００３２】
収納口３を完全密封した後に、掃除機の吸引ノズルを排気弁５に接続し、掃除機を駆動させる。これにより、第１、第２の袋体１、２内の空気及び収納物内の空気は外部に排気され、圧縮収納具の内部は減圧され、内側シート部２ｂと外側シート部２ａとの間に収まった布団Ｆは圧縮され、容積が小さくなる。
【００３３】
そして、排気により厚さが薄くなった第１、第２の袋体１、２を、図８に示すように、密閉用ファスナ４を境界として、第１、第２の袋体１、２とを二つ折りにして、押入等に収納することができる。
【００３４】
本実施例の圧縮収納具は、収納口３が第１、第２の袋体１、２の中間にあるため、内部を排気すると自然に二つ折りにすることができ、コンパクト化して収納することが可能である。或いは、二つ折りにした圧縮収納具の収納口３を、ピンチ付きのハンガー等のピンチで挟んで吊り下げるようにして、収納することもできる。
【００３５】
圧縮収納具内に圧縮収納した収納物を取り出す際には、密閉用ファスナ４の凸条部４ａと凹条部４ｂ同士の嵌合を手で外して解除することで、第１、第２の袋体１、２内に空気を入れて膨らませて、収納物を取り出すことができる。
【００３６】
また、衣類等の小型の収納物を収納する場合においては、第１、第２の袋体１、２内に分けて収納することができる。従来の圧縮収納袋のように先端に押し込んで圧縮した衣類を取り出す場合には、一旦、手前側の衣類を取り出す必要があったが、本実施例の圧縮収納具は、出し入れすべき衣類だけを第１の袋体１又は第２の袋体２から出し入れすればよいので、上述のような不必要な衣類まで出し入れをする必要はない。
【００３７】
このように実施例の圧縮収納具では、収納口３を第１、第２の袋体１、２の境界部に設けているので、布団Ｆ等の大型の収納物に対しては、片側ずつ収納することができるので、布団先端を圧縮収納袋の奥まで挿入する必要がなく、出し入れがし易い。また、衣類等の小型の収納物を収納する場合には、収納物を第１、第２の袋体１、２に、別個に出し入れできるので操作性が良い。
【符号の説明】
【００３８】
１  第１の袋体
２  第２の袋体
１ａ、２ａ  外側シート部
１ｂ、２ｂ  内側シート部
１ｃ、２ｃ  接合縁部
１ｄ、２ｄ  上縁部
３  収納口
３ａ  収納口縁部
４  密閉用ファスナ
４ａ  凸条部
４ｂ  凹条部
５  排気弁
【図１】
2019026289.tif 000003
【図２】
2019026289.tif 000004
【図３】
2019026289.tif 000005
【図４】
2019026289.tif 000006
【図５】
2019026289.tif 000007
【図６】
2019026289.tif 000008
【図７】
2019026289.tif 000009
【図８】
2019026289.tif 000010